(57)【要約】【課題】寝具状の温熱電位治療器に、清涼機能を付加し、睡眠リズムに合わせて効果的に制御することにより快適な寝床環境を得ることができる温熱電位治療器を提供する。【解決手段】寝具として使用可能な緩衝体１内に温熱手段６と、電位手段７と、送風手段１２とを備え、各手段は予めプログラムした制御プログラムにしたがって制御する制御手段１９により運転される。【選択図】  図１
2005021465.tif 000002
【特許請求の範囲】
【請求項１】
寝具として使用可能な緩衝体（１）内に温熱手段（６）と、電位手段（７）と、送風手段（１２）とを備え、各手段は予めプログラムした制御プログラムにしたがって制御する制御手段（１９）により運転されることを特徴とする温熱電位治療器。
【請求項２】
寝具として使用可能な緩衝体（１）内に温熱手段（６）と、電位手段（７）と、送風手段（１２）とを備え、前記緩衝体（１）は、緩衝体（１）を覆う表布（２）と、この表布（２）に設けられた吸引孔（３）と、表布（２）の下に設けられ通気性と放湿性を有する素材で構成された空間材（４）と、この空間材（４）の下に設けられた保持シート（５）と、この保持シート（５）により上下に挟まれた温熱手段（６）と、電位手段（７）と、前記保持シート（５）の下に設けられた断熱性を有する緩衝材（８）とで構成し、前記保持シート（５）と前記緩衝材（８）の一部に切り欠け部（９）を設け、この切り欠け部（９）に電源ユニット（１３）と、送風手段（１２）とを設けたことを特徴とする温熱電位治療器。
【請求項３】
制御手段（１９）にマイコンを用い、このマイコンに予め運転方法をプログラムして複数の運転コースとして登録し、使用者の操作によりこれらの複数の運転コースの中から選択して運転することを特徴とする請求項１記載の温熱電位治療器。
【請求項４】
寝具として使用可能な緩衝体（１）内に温熱手段（６）と、電位手段（７）と、送風手段（１２）とを備え、緩衝体（１）から分離したコントローラ（１５）の内部に前記各手段（６）、（７）、（１２）を予めプログラムした制御プログラムにしたがって制御する制御手段（１９）と、操作キー（２０）とを備え、この操作キー（２０）に季節に応じて選択できる複数の運転コース選択キー（２１）を設け、使用者の選択により各運転コース特有の予めプログラムされた運転方法で温熱手段（６）と、電位手段（７）と、送風手段（１２）とを制御するようにしたことを特徴とする温熱電位治療器。
【請求項５】
運転コース選択キー（２１）に冬コース操作キー（４０１）を設け、室温の低い冬季等に前記冬コース操作キー（４０１）を押すことにより、寝床内温度を温熱手段（６）にて設定温度に加熱すると共に規定時間（Ｔ１）後に自動的に寝床内温度を設定温度より数度下げるとともに、予め設定されたタイマー時間が終了する規定時間（Ｔ３）前に寝床内温度を数度上げる機能を有することを特徴とする請求項４記載の温熱電位治療器。
【請求項６】
室温の低い冬季等に冬コース操作キー（４０１）を押すことにより、通電後の規定時間（Ｔ１）間は温熱手段（６）がＯＮする時は電位手段（７）はＯＦＦし、温熱手段（６）がＯＦＦの時は電位手段（７）がＯＮする交互運転Ａを行い、次に規定時間（Ｔ２）間は前記交互運転Ａの電位手段（７）のＯＮ時間より短い時間でＯＮするようにし、温熱手段（６）と電位手段（７）が共にＯＮしない無通電時間を設けた交互運転Ｂを行い、次に規定時間（Ｔ３）間は前記交互運転Ａを行い、さらに前記交互運転Ａと前記交互運転Ｂにおいて電位手段（７）のＯＮ時間の累計が既定値以上になったら電位運転を停止し、温熱運転だけを行うことを特徴とする請求項４、５記載の温熱電位治療器。
【請求項７】
運転コース選択キー（２１）に夏コース操作キー（４０３）を設け、室温の高い夏季等に前記夏コース操作キー（４０３）を押すことにより、室温が規定値以上の場合、通電開始後の最初の規定時間（Ｔ４）間は送風手段（１２）を強運転し、規定時間（Ｔ５）間は送風手段（１２）を中運転とし、規定時間（Ｔ６）間は送風手段（１２）を弱運転し、また、通電開始後の最初の規定時間（Ｔ４）間は電位手段（７）の通電を規定周期（Ｓ１）でＯＮ／ＯＦＦする電位運転Ｃを行い、次の規定時間（Ｔ５）間は電位手段（７）の通電を規定周期（Ｓ２）でＯＮ／ＯＦＦする電位運転Ｄを行い、次の規定時間（Ｔ６）間は電位手段（７）の通電を規定周期（Ｓ３）でＯＮ／ＯＦＦする電位運転Ｄを行い、かつ、電位運転Ｄにおいて電位手段（７）のＯＮ時間の累計が既定値以上になったら電位運転を停止することを特徴とする請求項４記載の温熱電位治療器。
【請求項８】
室温の高い夏季等に夏コース操作キー（４０３）を押すことにより、室温が規定値以下の場合、通電開始後の最初の規定時間（Ｔ４）間は電位手段（７）の通電を規定周期（Ｓ１）でＯＮ／ＯＦＦする電位運転Ｃを行い、次の規定時間（Ｔ５）間は電位手段（７）の通電を規定周期（Ｓ２）でＯＮ／ＯＦＦする電位運転Ｄを行い、次の規定時間（Ｔ６）間は電位手段（７）の通電を規定周期（Ｓ１）でＯＮ／ＯＦＦする電位運転Ｃを行い、かつ、電位運転Ｄにおいて電位手段（７）のＯＮ時間の累計が既定値以上になったら電位運転を停止することを特徴とする請求項４、７記載の温熱電位治療器。
【請求項９】
運転コース選択キー（２１）に春／秋コース操作キー（４０２）と、ちょっと寒操作キー（４０４）と、ちょっと暑操作キー（４０５）を設け、前記春／秋コース操作キー（４０２）を押すことにより、通電開始後の最初の規定時間（Ｔ４）間は電位手段（７）の通電を規定周期（Ｓ１）でＯＮ／ＯＦＦする電位運転Ｃを行い、次の規定時間（Ｔ５）間は電位手段（７）の通電を規定周期（Ｓ２）でＯＮ／ＯＦＦする電位運転Ｄを行い、次の規定時間（Ｔ６）間は電位手段（７）の通電を規定周期（Ｓ１）でＯＮ／ＯＦＦする電位運転Ｃを行い、かつ、電位運転Ｄにおいて電位手段（７）のＯＮの累計時間が既定値以上になったら電位運転を停止し、また、運転開始後にちょっと寒操作キー（４０４）を押すと温熱手段（６）を通電し、規定時間（Ｔ１）の間前記交互運転Ａを行い、次の規定時間（Ｔ２）間は、前記交互運転Ｂを行い、次の規定時間（Ｔ３）間は、前記交互運転Ａを行い、さらに前記交互運転Ａと前記交互運転Ｂにおいて電位手段（７）のＯＮ時間の累計が既定値以上になったら電位運転を停止し、かつ、ちょっと寒操作キー（４０４）を再度押すと温熱手段（６）の通電をＯＦＦし、春／秋コースの電位運転のみの運転に切り替わり、また、ちょっと暑操作キー（４０５）を押すと、送風手段（１２）の運転を開始し、ちょっと暑操作キー（４０５）を再度押すと送風手段（１２）の運転を停止することを特徴とする請求項４記載の温熱電位治療器。
【請求項１０】
操作キー（２０）に乾燥／防臭運転操作キー（４１６）を設け、この乾燥／防臭運転操作キー（４１６）を押すことにより、規定時間（Ｔ７）間は温熱手段（６）の通電を行い、温熱手段（６）の通電終了前の規定時間（Ｔ８）間送風手段（１２）を運転することを特徴とする請求項４記載の温熱電位治療器。
【請求項１１】
操作キー（２０）に温熱運転操作キー（４１２）と、電位運転操作キー（４１３）と、清涼運転操作キー（４１４）と、予熱運転操作キー（４１５）と、温熱面切換操作キー（４１７）を設け、前記温熱運転操作キー（４１２）を操作した後、前記温熱面切換操作キー（４１７）を操作して温熱面を切り換えて温熱運転をおこない、かつ、電位運転操作キー（４１３）を操作して、電位運転を行い、かつ、清涼運転操作キー（４１４）を操作して清涼運転を行い、かつ、予熱運転操作キー（４１５）を操作して予熱運転を行うことを特徴とする請求項４記載の温熱電位治療器。
【発明の詳細な説明】
【０００１】
【発明の属する技術分野】
本発明は、温熱治療と電位治療の効果を有する温熱電位治療器に係り、特に春、夏、秋、冬の各季節において快適な睡眠環境を得ることが出来る温熱電位治療器に関するものである。
【０００２】
【従来の技術】
従来、この種の温熱電位治療器は、ふとん状やマット状となっており、その内部には温熱治療用の発熱体および電位治療用の導子電極が設けられ、また、合成繊維系の綿やスポンジ状のクッション材の組み合わせで構成され、温熱電位治療器の表面は、綿布や羊毛など普通の寝具と同様に吸湿性のある自然素材の布で覆われて構成されている（例えば、特許文献１、特許文献２参照）。
【０００３】
また、寝具表布の下部に空間材を設けるとともに、吸気ユニットを設けることにより、寝具表布から吸気し、人体からの熱気や湿気を寝具外に放出する清涼機能を兼ね備えたものが提案されている（例えば、特許文献３参照）。
【０００４】
なお、このような温熱電位治療器は、次のような効果・効能を有しているものである。すなわち、温熱治療により血行の促進や、疲労の回復、筋肉疲労の回復、神経痛を和らげる、胃腸の働きを活発にする等の効果・効能を有し、また、電位治療により体内バランスを良くし、慢性便秘、頭痛、不眠症、肩こり等に効果・効能を有しているものである。
【０００５】
【特許文献１】
特開昭６３−７９６７１号公報
【特許文献２】
特開平２−２６４６１０号公報
【特許文献３】
特開２００２−７８５７０号公報
【０００６】
【発明が解決しようとする課題】
しかしながら、上記従来の温熱電位治療器は、寝具として寝ながらに温熱効果と電位効果により健康づくりを行うものであるが、これらの温熱効果、電位効果に、さらに清涼機能を付加し、春夏秋冬オールシーズンを快適に睡眠できるように人の睡眠リズムに合わせて効果的に機能を制御し快眠を支えると共に、健康促進を計ることが出来る製品は無かった。
【０００７】
【課題を解決するための手段】
本発明は上記の課題を解決するためになされたものであり、請求項１では、寝具として使用可能な緩衝体内に温熱手段と、電位手段と、送風手段とを備え、各手段は予めプログラムした制御プログラムにしたがって制御する制御手段により運転されるものである。
【０００８】
これにより、寝具として寝ながらに温熱効果と電位効果により健康づくりを行いながら、さらに清涼機能を付加したことにより快適に睡眠することができる。
【０００９】
請求項２では、寝具として使用可能な緩衝体内に温熱手段と、電位手段と、送風手段とを備え、前記緩衝体は、緩衝体を覆う表布と、この表布に設けられた吸引孔と、表布の下に設けられ通気性と放湿性を有する素材で構成された空間材と、この空間材の下に設けられた保持シートと、この保持シートにより上下に挟まれた温熱手段、電位手段と、前記保持シートの下に設けられた断熱性を有する緩衝材とで構成し、前記保持シートと前記緩衝材の一部に切り欠け部を設け、この切り欠け部に電源ユニットと、送風手段とを設けたものである。
【００１０】
これにより、温熱効果と電位効果とさらに清涼機能を有すると共に、寝具として快眠を支えることができる構造とすることができる。
【００１１】
請求項３では、制御手段にマイコンを用い、このマイコンに予め運転方法をプログラムして複数の運転コースとして登録し、使用者の操作によりこれらの複数の運転コースの中から選択して運転するものである。
【００１２】
これにより、睡眠時の寝床内環境を快適状態に作る温熱手段と、送風手段の運転制御が、自動的に運転されるので、就眠時に操作することなく快適な寝床内環境を造ることができる。
【００１３】
請求項４では、寝具として使用可能な緩衝体内に温熱手段と、電位手段と、送風手段とを備え、緩衝体から分離したコントローラの内部に前記各手段を予めプログラムした制御プログラムにしたがって制御する制御手段と、操作キーとを備え、この操作キーに季節に応じて選択できる複数の運転コース選択キーを設け、使用者の選択により各運転コース特有の予めプログラムされた運転方法で温熱手段と、電位手段と、送風手段とを制御するものである。
【００１４】
これにより、操作部が一箇所であり、操作が分かり易く簡単にできるため利便性が大きい。また、環境変化に応じた複数の運転コースの中から適した運転方法を選択できる為、さらに利便性が増す。
【００１５】
請求項５では、運転コース選択キーに冬コース操作キーを設け、室温の低い冬季等に前記冬コース操作キーを押すことにより、寝床内温度を温熱手段にて設定温度に加熱すると共に規定時間後に自動的に寝床内温度を設定温度より数度下げるとともに、予め設定されたタイマー時間が終了する規定時間前に寝床内温度を数度上げる機能を有するものである。
【００１６】
これにより、自分自身で操作ができない睡眠中の寝床内温度を下降変化させたり、明け方に上昇変化させることを自動的に実現できる効果が得られる。
【００１７】
請求項６では、室温の低い冬季等に冬コース操作キーを押すことにより、通電後の規定時間間は温熱手段がＯＮする時は電位手段はＯＦＦし、温熱手段がＯＦＦの時は電位手段がＯＮする交互運転Ａを行い、次に規定時間間は前記交互運転Ａの電位手段のＯＮ時間より短い時間でＯＮするようにし、温熱手段と電位手段が共にＯＮしない無通電時間を設けた交互運転Ｂを行い、次に規定時間間は前記交互運転Ａを行い、さらに前記交互運転Ａと前記交互運転Ｂにおいて電位手段のＯＮ時間の累計が既定値以上になったら電位運転を停止し、温熱運転だけを行うものである。
【００１８】
これにより、冬季には温熱手段と電位手段が交互に運転されるため、寝床内環境は暖かく快適に電位治療ができる。また、電位治療器は使用時間が制限されるが、内蔵のマイコンが電位運転の時間を積算し、計算するため、制限時間を超える心配がない。
【００１９】
請求項７では、運転コース選択キーに夏コース操作キーを設け、室温の高い夏季等に前記夏コース操作キーを押すことにより、室温が規定値以上の場合、通電開始後の最初の規定時間間は送風手段を強運転し、規定時間間は送風手段を中運転とし、規定時間間は送風手段を弱運転し、また、通電開始後の最初の規定時間間は電位手段の通電を規定周期Ｓ１でＯＮ／ＯＦＦする電位運転Ｃを行い、次の規定時間間は電位手段の通電を規定周期Ｓ２でＯＮ／ＯＦＦする電位運転Ｄを行い、次の規定時間間は電位手段の通電を規定周期Ｓ３でＯＮ／ＯＦＦする電位運転Ｄを行い、かつ、電位運転Ｄにおいて電位手段のＯＮ時間の累計が既定値以上になったら電位運転を停止するものである。また、請求項８では、室温の高い夏季等に夏コース操作キーを押すことにより、室温が規定値以下の場合、通電開始後の最初の規定時間間は電位手段の通電を規定周期Ｓ１でＯＮ／ＯＦＦする電位運転Ｃを行い、次の規定時間間は電位手段の通電を規定周期Ｓ２でＯＮ／ＯＦＦする電位運転Ｄを行い、次の規定時間間は電位手段の通電を規定周期Ｓ１でＯＮ／ＯＦＦする電位運転Ｄを行い、かつ、電位運転Ｃにおいて電位手段のＯＮ時間の累計が既定値以上になったら電位運転を停止するものである。
【００２０】
これにより、夏季には送風と電位が上手に運転されるため寝床内環境は快適な状態で電位治療ができる。また、電位治療器は使用時間が制限されるが内蔵のタイマーが電位運転の時間を積算し、計算するため、制限時間を超える心配がない。
【００２１】
請求項９では、運転コース選択キーに春／秋コース操作キーと、ちょっと寒操作キーと、ちょっと暑操作キーを設け、前記春／秋コース操作キーを押すことにより、通電開始後の最初の規定時間間は電位手段の通電を規定周期Ｓ１でＯＮ／ＯＦＦする電位運転Ｃを行い、次の規定時間間は電位手段の通電を規定周期Ｓ２でＯＮ／ＯＦＦする電位運転Ｄを行い、次の規定時間間は電位手段の通電を規定周期Ｓ１でＯＮ／ＯＦＦする電位運転Ｃを行い、かつ、電位運転Ｄにおいて電位手段のＯＮの累計時間が既定値以上になったら電位運転を停止し、また、運転開始後にちょっと寒操作キーを押すと温熱手段を通電し、規定時間の間前記交互運転Ａを行い、次の規定時間間は、前記交互運転Ｂを行い、次の規定時間間は、前記交互運転Ａを行い、さらに前記交互運転Ａと前記交互運転Ｂにおいて電位手段のＯＮ時間の累計が既定値以上になったら電位運転を停止し、かつ、ちょっと寒操作キーを再度押すと温熱手段の通電をＯＦＦし、春／秋コースの電位運転のみの運転に切り替わり、また、ちょっと暑操作キーを押すと、送風手段の運転を開始し、ちょっと暑操作キーを再度押すと送風手段の運転を停止するものである。
【００２２】
これにより、春秋時の気温変化に対応して暑いときは涼しく、涼しいときは暖かく寝床内の環境を簡単な操作で快適にできる為、使い勝手が良い。
【００２３】
請求項１０では、操作キーに乾燥／防臭運転操作キーを設け、この乾燥／防臭運転操作キーを押すことにより、規定時間間は温熱手段の通電を行い、温熱手段の通電終了前の規定時間間送風手段を運転するものである。
【００２４】
これにより、汗等で湿った緩衝体を乾燥できる為利便性が大きい。また、防臭効果により、不快感を改善できる。
【００２５】
請求項１１では、操作キーに温熱運転操作キーと、電位運転操作キーと、清涼運転操作キーと、予熱運転操作キーと、温熱面切換操作キーを設け、前記温熱運転操作キーを操作した後、前記温熱面切換操作キーを操作して温熱面を切り換えて温熱運転をおこない、かつ、電位運転操作キーを操作して、電位運転を行い、かつ、清涼運転操作キーを操作して清涼運転を行い、かつ、予熱運転操作キーを操作して予熱運転を行うものである。
【００２６】
これにより、温熱効果や、電位効果、清涼機能等をお好みに応じて単独で運転することができる。また、予熱運転により温熱効果を短時間で得ることができる。
【００２７】
【発明の実施の形態】
以下本発明の一実施例を図１〜図１０を参照して説明する。
【００２８】
図１は本発明の一実施例を示す概略斜視図、図２は同じく概略断面図、図３は同じく回路ブロック図、図４は同じく操作キーの説明図、図５は同じく冬コース運転動作説明図、図６は同じく交互運転、電位運転の詳細説明図、図７は同じく夏コース運転動作説明図、図８は同じく清涼運転動作の詳細説明図、図９は同じく春／秋コース運転動作説明図、図１０は同じく乾燥／防臭運転動作説明図である。
【００２９】
図において、１は寝具として使用可能な緩衝体で、この上に人体が仰臥する、２は緩衝体１を覆う表布、３は表布２に設けられた吸引孔であり、緩衝体１に人が寝た時腰から背中にかけて設けられている。
【００３０】
４は空間材で、表布２の下に設けられており、通気性と放湿性に優れ、また、体圧を分散することができる三次元構造繊維素材で構成されている。
【００３１】
５は保持シートで、上下２枚のシート材よりなり、空間材４の下に設けられている。そして、この保持シート５の間には上下から挟まれた後記する温熱手段６と電位手段７を有している。
【００３２】
８は緩衝材で、保持シート５の下部に設けてあり、断熱性を有しているものである。
【００３３】
６は温熱手段で、緩衝体１内に設置されている。本実施例ではコード状のヒータが保持シート５の間に蛇行して配置され、緩衝体１を加熱するものであり、詳細は緩衝体１の全体を加熱するように配置した全体温熱ヒータ６ａと、仰臥する人体の足元だけを加熱するように配置した足元温熱ヒータ６ｂの２種類から成っている。そして、この温熱手段６のコード状のヒータ内部には図示しないがヒータ線と信号線がスパイラル状にプラスチックサーミスタの感熱層を挟んで巻き付けられていて、この感熱層のインピーダンス変化を後記するヒータ温度センサ回路３０６で検出して温熱手段６の温度コントロールを行っている。
【００３４】
７は電位手段で、温熱手段６と同様に保持シート５の間のほぼ全面に蛇行して配置されている。この電位手段７はマイナスの高電圧を印加して電位治療を行うものであり、本実施例では電位線（図示せず）よりなるもので、全面温熱ヒータ６ａのコード状のヒータ線の内部に絶縁層（図示せず）を介して配設されているものである。
【００３５】
９は切り欠け部で、緩衝体１の片側側面の略中央部に近い保持シート５と、緩衝材８の一部を切り欠いて設けてあり、この切り欠け部９には電装室１０が設けてある。
【００３６】
１１は排気室で、電装室１０の底部で切り欠け部９に対応する部分に設けてある。
【００３７】
１２は送風手段で、前記排気室１１内の切り欠け部９に対応した部分に設けてあり、緩衝体１の上面の空気を前記吸引孔３から前記空間材４を通して吸引し、排気室１１から緩衝体１外に排気するものであり、本実施例では送風ファンで構成している。
【００３８】
１３は電源ユニットで、電装室１０内に設けられ、各部に電源を供給したり、温熱手段６、電位手段７、送風手段１２をＯＮ／ＯＦＦする回路が内蔵されている。
【００３９】
１４は差し込みプラグで、電源ユニット１３から分岐しており、電源に接続するものである。
【００４０】
１５はコントローラで、電源ユニット１３から分岐し、緩衝体１から分離して設けられており、内部には後記するマイコン３１２で構成された制御手段１９と、上面には操作キー２０が設けてあり、使用者の操作により温熱手段６と、電位手段７と、送風手段１２等を制御するものである。
【００４１】
１６は枕、１７は掛ふとん、１８は人体であり、通常、人体１８は緩衝体１の上に仰臥し枕１６等を使用し掛けふとん１７等の保温材を用いて使用する。
【００４２】
次に図３の回路ブロック図について説明する。
【００４３】
１９は制御手段で、マイコン３１２で構成され、温熱手段６、電位手段７、送風手段１２を予めプログラムした複数の運転方法に従って制御して運転するものである。
【００４４】
３０１は高電圧発生回路で、電位治療用の直流のマイナス高電圧を発生する回路であり、電位手段７に接続している。
【００４５】
３０２はヒータ制御回路で、温熱手段６の通電のＯＮ／ＯＦＦを行い設定温度になるように通電を行うものである。
【００４６】
３０３はリレースイッチで、高電圧発生回路３０１のＯＮ／ＯＦＦスイッチである。
【００４７】
３０４はリレースイッチで、温熱手段６の電源をＯＮ／ＯＦＦするスイッチである。
【００４８】
３０５はリレースイッチで、全体を加熱する温熱ヒータ６ａと足元を加熱する温熱ヒータ６ｂの通電を切り換えるスイッチである。
【００４９】
３０６はヒータ温度センサ回路で、温熱手段６の温度を該温熱手段６に内蔵した感熱層のナイロンサーミスタのインピーダンス変化を検知し、温度制御するためのセンサ回路である。
【００５０】
３０７は室温センサで、コントローラ１５内に設けられていて室温を検知するものである。
【００５１】
２０は操作キーで、コントローラ１５の上面に設けてある。
【００５２】
３０９は送風ファン駆動回路で、送風手段１２のＯＮ／ＯＦＦ及び送風する風量を「強、中、弱」の３段階の出力となるように駆動するものである。
【００５３】
３１０はリレー回路で、リレースイッチ３０３、３０４、３０５をＯＮ／ＯＦＦ制御するものである。
【００５４】
３１１は表示回路で、後記する時間設定表示器４０６、温度調節表示器４０７、ＬＥＤ１〜１３等を表示する回路である。
【００５５】
３１２はマイコンで、ヒータ温度センサ回路３０６、操作キー２０、室温センサ３０７からの信号を入力し、ヒータ制御回路３０２、送風ファン駆動回路３０９、リレー回路３１０、表示回路３１１へ制御信号を出力して制御するものである。
【００５６】
３１３は電源回路で、各制御回路に電源を供給するものである。
【００５７】
３１４はクロック回路で、マイコン３１２にクロック信号を供給するものである。
【００５８】
次に、図４に示すコントローラ１５の上面に設けられた操作キー２０について説明する。
【００５９】
２１は運転コース選択キーで、制御手段１９に予め運転方法をプログラムしてある複数の運転コースの中から、季節に応じて選択できるように次のような５個の操作キーから構成されている。すなわち、４０１は冬コース操作キー、４０２は春／秋コース操作キー、４０３は夏コース操作キーであり、冬コース操作キー４０１は室温の低い冬季に主に用い、夏コース操作キー４０３は室温の高い夏季に主に用い、春／秋コース操作キー４０２は冬と夏の中間の室温の時に主に用いられるものである。また、４０４、４０５はちょっと寒操作キー、ちょっと暑操作キーであり、春／秋コース操作キー４０２を押した後、設定可能になる操作キーである。そしてこれらは、ちょっと寒いと感じた時や、ちょっと暑いと感じた時に操作して運転方法を途中で若干変更したいときに使用するものである。
【００６０】
そして、これらの操作キーで選択される各コースをおまかせ快眠コースと称している。
【００６１】
また、各操作キーにはその操作キーを操作したとき点灯する表示器ＬＥＤ２、ＬＥＤ３、ＬＥＤ４が設けてある。
【００６２】
ＬＥＤ７〜ＬＥＤ９は温熱手段６、電位手段７、送風手段１２に対応した表示器で、各手段が運転されるとき点灯して使用者に分かり易くしているものである。
【００６３】
４０６は２桁の数字を表示する時間設定表示器であり、表示内容はタイマー時間を「１〜１２」（１〜１２ｈ）の範囲で表示するものである。
【００６４】
４０７は１桁の数字を表示する温度調節表示器であり、表示内容は温熱手段６の設定温度のレベルを「１〜９」の数字で表示するものであり、この「１〜９」は、温熱手段６の設定温度の２８℃、３１℃、３３℃、３５℃、３７℃、４０℃、４４℃、４９℃、５５℃に対応している。
【００６５】
４０８、４０９は時間設定操作キー、４１０、４１１は温度調節操作キーであり、矢印が下向きの操作キーである４０８、４１０を押すと設定レベルを下げることができ、矢印が上向きの操作キーである４０９、４１１を押すと設定レベルを上げることができる。
【００６６】
４１２〜４１６は温熱運転操作キー、電位運転操作キー、清涼運転操作キー、予熱運転操作キー、乾燥／防臭運転操作キーで、これらの操作キーを押すことによりお好みの運転を単独で運転することができる。
【００６７】
ＬＥＤ１０は予熱運転操作キー４１５を押すと点灯し、ＬＥＤ１１は乾燥／防臭運転を行う操作キー４１６を押すと点灯するものである。
【００６８】
ＬＥＤ１２、１３は温熱手段６の温熱面の切り換えを分かり易く表示する表示器で、全体温熱ヒータ６ａで加熱されるときはＬＥＤ１２とＬＥＤ１３が点灯し、足元温熱ヒータ６ｂで加熱されるときはＬＥＤ１３が点灯するようになっている。
【００６９】
４１７は温熱面切換操作キーで、お好み選択の温熱運転操作キー４１２を押した後、操作することにより温熱面を切り換えることができるもので、一回押すと足元温熱ヒータ６ｂの通電が選択され、ＬＥＤ１３が点灯し、さらに続けて押すと全面温熱ヒータ６ａの通電が選択され、ＬＥＤ１２、１３の両方が点灯し、さらに押すたびに温熱面の選択が変わり、最後に表示された温熱面が選択できるようになっている。
【００７０】
４１８は切操作キーで全体の通電を停止するとき使用するものである。
【００７１】
ＬＥＤ１は差し込みプラグ１４を電源に接続すると点灯するものである。
【００７２】
次に、以上の構成による作用について説明する。
【００７３】
緩衝体１の上に掛ふとん１７をかぶせ、差し込みプラグ１４を電源に接続し、室温の低い冬季等にコントローラ１５の上面に設けられた操作キー２０の冬コース操作キー４０１を押すとＬＥＤ２、７、８と、ＬＥＤ１２、１３が点灯し温熱面として全体温熱ヒータ６ａが選択され、自動的に時間設定表示器４０６に設定時間が８ｈである「８」と、温度調節表示器４０７に設定温度が３３℃である「３」が表示され、タイマーによる通電を開始する。なお、これらの時間設定表示と温度調節表示は、予め工場出荷時に設定された初期値が表示されるものであり、平均的に良く使われる値となっている。
【００７４】
そして、通電が開始すると、図５（ａ）に示すように、温熱手段６が通電される温熱運転が開始され、掛ふとん１７の内部の寝床内温度を上昇させるように全体温熱ヒータ６ａが強制的に温度調節「９」（設定温度５５℃）で０．５ｈ運転され、その後、温度調節「３」（設定温度３３℃）で規定時間Ｔ１（１．５ｈ）間運転されるようになる。
【００７５】
そして、この規定時間Ｔ１間は、寝床内温度が設定温度の３３℃以上になると、全体温熱ヒータ６ａの通電をＯＦＦするタイミングで、高電圧発生回路３０１のリレースイッチ３０３をＯＮし、マイナスの高電圧を電位手段７に印加する電位運転を開始し、寝床内温度が低下して設定温度の３３℃以下になって、全体温熱ヒータ６ａの通電をＯＮするタイミングで、電位手段７に印加するマイナスの高電圧をＯＦＦする、図６（ａ）に示すような温熱手段６と電位手段７の交互運転Ａが行われるようになる。
【００７６】
但し、この規定時間Ｔ１は図５（ｂ）に示すように時間設定が５ｈ以上の場合は１．５ｈで、時間設定が４ｈ以内の場合は時間設定から１ｈ引いた値となる。
【００７７】
次に、寝床内温度の設定温度を１℃下げた交互運転Ｂが、タイマー時間（８ｈ）が終了する前の規定時間Ｔ３までの間の規定時間Ｔ２（４ｈ）間行われる。ところで、本実施例では設定温度を１℃下げるようにしたが、１℃〜５℃の範囲で下げるのが好ましい。
【００７８】
但し、この規定時間Ｔ２は図５（ｂ）に示すように時間設定が５ｈ以上の場合は時間設定から３．５ｈ引いた値となり、時間設定が４ｈ以上の場合は０ｈとなり交互運転Ｂは行われなくなる。
【００７９】
そして、この交互運転Ｂでは、温熱手段６の通電がＯＦＦすると電位運転を１０ｓ間行うように前記交互運転Ａの電位運転時間より短い時間の運転となり、温熱運転も電位運転も行わない無通電時間を設けたものである。
【００８０】
次に、寝床内温度の設定温度を３℃上げた交互運転Ａを規定時間Ｔ３（２ｈ）間行い、タイマーによる全ての運転を終了する。ところで、本実施例では設定温度を３℃上げるようにしたが、１℃〜１０℃の範囲で上げるのが好ましい。
【００８１】
但し、この規定時間Ｔ３は図５（ｂ）に示すように時間設定が５ｈ以上の場合は２ｈで、時間設定が４ｈ以下の場合は０．５ｈとなる。
【００８２】
ところで、電位運転を行う交互運転Ａ、Ｂの期間では、電位手段７のＯＮ時間の累計が規定値以上になったら、以降その期間中の電位手段７のＯＮ動作は行わないものとし、そして、この累計時間の規定値は、交互運転Ａの場合は３０分で交互運転Ｂの場合は１２０分としている。
【００８３】
また、冬コース操作キー４０１を押した後、温度調節キー４１０、４１１と時間設定キー４０８、４０９を押すと設定温度と時間設定を任意に選択することができ、その時の交互運転Ａ、Ｂの運転時間は図５（ｂ）に示すように設定時間により変化するようにしている。
【００８４】
このように、冬コース操作キー４０１を押すことで、寝床内温度を睡眠時の人の体温変化に合わせて変動することができ、また、目覚め時に寝床内温度を上げることで血管を拡張させ、血液の流れを良くすることができる。
【００８５】
また、電位運転を行うと血液中のイオンが増加し、血液中に陽イオン（ナトリウム、カルシウム）が動員され、尿中への酸性塩の排出を促進し、血清中の予備アルカリ蓄積量を増加し、血液のｐＨ正常化をサポートすることで、自律機能回復の機能を持っているが、自律神経系は人体の活力を高めようとする交感神経系と興奮を鎮めようとする副交感神経系の二つの系列からできており、本発明では温熱と電位の交互運転を行いながら、眠りに就く最初のＴ１時間および目覚め時のＴ３時間により多く電位手段７のＯＮ時間（交互運転Ａ）をとることができ、かつ、睡眠中は継続的に電位運転を間欠的（交互運転Ｂ）にすることができる。これにより、睡眠に入る時は副交感神経系の働きで興奮を鎮めることができ、かつ、電位運転を間欠的に継続することで、副交感神経系の働きを継続することができる。また、寝起き時により多く電位手段７のＯＮ時間をとることにより、交感神経系の働きにより、寝起き時の人体活力を高めることができる。
【００８６】
次に、室温の高い夏季等におまかせ快眠コースの夏コース操作キー４０３を押した時の動作を説明する。
【００８７】
室温が２３℃未満の場合に夏コース操作キー４０３を押すと、ＬＥＤ４、８が点灯し、そして自動的に時間設定表示器４０６に「８」が表示され、通電を開始する。
【００８８】
通電を開始すると、図７（ａ）に示すように、電位運転Ｃが規定時間Ｔ４（１．５ｈ）運転される。この場合、電位運転Ｃは図６（ｃ）に示すように規定周期Ｓ１（２５秒ＯＮ、２５秒ＯＦＦ）でＯＮ／ＯＦＦを繰り返す。
【００８９】
次に、電位運転Ｄが規定時間Ｔ５（５ｈ）運転される。この場合電位運転Ｄは同じく図６（ｄ）に示すように規定周期Ｓ２（２３秒ＯＮ、４９秒ＯＦＦ）でＯＮ／ＯＦＦを繰り返す。
【００９０】
次に電位運転Ｃが規定時間Ｔ６（１．５ｈ）運転され、タイマーによる全ての運転を終了する。
【００９１】
ところで、電位運転Ｃ、Ｄを行う期間中は、電位手段（７）のＯＮ時間の累計が規定値に以上になったら、以降その期間中の電位手段（７）のＯＮ動作は行わないものとし、そして、この累計時間の規定値は、電位運転Ｃの場合は４５分で電位運転Ｄの場合は９０分としている。
【００９２】
また、夏コース操作キー４０３を押した後、設定時間キー４０８、４０９を押すと、設定時間を任意に選択することができ、その時の電位運転Ｃ、Ｄの運転時間は図７（ｂ）に示すように設定時間により変化するようにしている。
【００９３】
また、室温が２３℃以上の場合に夏コース操作キー４０３を押すと、ＬＥＤ４、８、９が点灯し電位運転と送風手段１２を駆動する清涼運転の両方を行う運転を開始する。
【００９４】
通電を開始すると、図７（ａ）に示すように、電位運転Ｃと送風手段１２を「強」とする清涼運転を規定時間Ｔ４（１．５ｈ）行い、次に電位運転Ｄと送風手段１２を「中」とする清涼運転を規定時間Ｔ５（５ｈ）行い、次に電位運転Ｃと送風手段１２を「弱」とする清涼運転を規定時間Ｔ６（１．５ｈ）行い、タイマーによる全ての運転を終了する。
【００９５】
この時の電位運転Ｃ、Ｄの規定時間と規定周期は、室温が２３℃以下の夏コース操作キー４０３を押したときと同じである。
【００９６】
また、夏コース操作キー４０３を押した後、設定時間キー４０８、４０９を押して設定時間を任意に選択することができ、その時の電位運転Ｃ、Ｄの運転時間は図７（ｂ）に示すように設定時間により変化し、同様に、清涼運転の運転時間と送風手段１２の「強、中、弱」のレベルは図８に示すよう設定時間によりに変化する。
【００９７】
このように、送風手段１２により寝床内の空気を吸引して、寝床内の汗による湿気を吸引すると共に、人体表面を空気が流れることにより、汗の気化熱を奪い体感温度を下げることができる。更に、就寝時の人の発汗量の変化、体温変化のパターンに合わせて清涼運転の送風手段１２の風量を変化させることができるため快眠することができる。また、冬コースの運転と同様に、電位手段７のＯＮ時間を眠りに就くＴ４時間と、目覚め時のＴ６時間により多く取ることができる（電位運転Ｃ）。また、睡眠中は電位運転Ｃよりは少ない電位手段７のＯＮ時間である電位運転Ｄで継続的に電位運転を行うことができる。
【００９８】
次に、おまかせ快眠コースの春／秋コース操作キー４０２を押した時の動作を説明する。
【００９９】
春／秋コース操作キー４０２を押すと、ＬＥＤ３、８が点灯し、そして自動的に時間設定表示器４０６に「８」が表示され、通電を開始する。
【０１００】
通電を開始すると、図９（ａ）に示すように、電位運転Ｃが開始され規定時間Ｔ４（１．５ｈ）間運転すると、次に電位運転Ｄが規定時間Ｔ５（５ｈ）間運転を行い、次に電位運転Ｃが規定時間Ｔ６（１．５ｈ）間運転を行い、タイマーによる全ての運転を終了する。
【０１０１】
この時の電位運転Ｃ、Ｄの詳細は夏コース操作キー４０３を押したときと同じく図７（ｂ）、図６（ｃ）、（ｄ）に示す規定時間と規定周期で行われる。
【０１０２】
また、春／秋コース操作キー４０２を押した後、設定時間キー４０８、４０９を押して設定時間を任意に選択することができ、その時の電位運転Ｃ、Ｄの運転時間は図７（ｂ）に示すように設定時間により変化する。
【０１０３】
また、春／秋コース操作キー４０２を押して通電を開始した後、ちょっと寒キー４０４を押すと、ＬＥＤ５、７、１２、１３が追加点灯し、そして自動的に温度調節表示器４０７に「３」が表示され温熱運転が開始する。
【０１０４】
温熱運転が開始されると、図９（ｂ）に示すように温度調節「９」で０．５ｈ運転した後、温度調節「２」で運転される。また、電位運転は交互運転Ａが規定時間Ｔ１（１．５ｈ）間運転され、次に交互運転Ｂが規定時間Ｔ２（５ｈ）間運転され、次に交互運転Ａが規定時間Ｔ３（２ｈ）間運転される。
【０１０５】
なお、この規定時間Ｔ１、Ｔ２、Ｔ３と、交互運転Ａ、Ｂの温熱手段６と電位手段７のＯＮ／ＯＦＦタイミングは冬コース操作キー４０１を押したときの運転方法と同じである。
【０１０６】
また、ちょっと寒キー４０４を再度押すと温熱運転は中止され、春／秋コースの運転モードに戻ることができる。
【０１０７】
また、同様に春／秋コース操作キー４０２を押して通電を開始した後、ちょっと暑キー４０５を押すと、室温センサの値に応じて夏コースと同じように図９（ｃ）に示すように送風手段１２を「中」とする清涼運転をおこなうことができる。
【０１０８】
なお、ちょっと暑キー４０５を再度押すと、清涼運転は中止され、春／秋コースの運転モードに戻ることができる。
【０１０９】
但し、夏コースの動作と同様に、電位運転Ｃ、Ｄを行う期間中は、電位手段（７）のＯＮ時間の累計が規定値に以上になったら、以降その期間中の電位手段（７）のＯＮ動作は行わないものとし、そして、この累計時間の規定値は、電位運転Ｃの場合は４５分で電位運転Ｄの場合は９０分としている。
【０１１０】
このように、電位手段７のＯＮ時間を眠りに就くＴ４時間と、目覚め時のＴ６時間により多く取ることができる（電位運転Ｃ）。また、睡眠中は電位運転Ｃよりはより電位時間の少ない電位手段７のＯＮ時間である電位運転Ｄで継続的に電位運転を行うことができる。また、ちょっと寒操作キー４０４を押すことで、寝床内温度を暖めたり、また、暖めすぎを防止でき、電位運転の効果を継続できる。また、ちょっと暑操作キー４０５を押すと、その時点より、電位運転に付加して送風手段１２が運転され清涼運転を開始して寝床内の汗による湿気を吸引すると共に、人体表面を空気が流れることにより、汗の気化熱を奪い体感温度を下げたり、また、冷やし過ぎを防止できる。
【０１１１】
次に、お好み選択の操作キーで運転する場合について説明する。
【０１１２】
電位運転操作キー４１３を押すと、ＬＥＤ８が点灯し、そして自動的に時間設定表示器４０６に「３」が表示され電位手段（７）に連続的にマイナスの高電圧を印加するタイマー運転が開始される。
【０１１３】
なお、電位運転操作キー４１３を押した後、設定時間キー４０８、４０９を操作すると設定時間が「３、２、１」の中から選択でき、設定時間に従って電位運転を連続的に行うことができる。
【０１１４】
清涼運転操作キー４１４を押すと、室温が２３℃以上の場合は、ＬＥＤ９が点灯し、そして自動的に時間設定表示器４０６に「８」が表示され、清涼運転だけが運転される。但し、室温が２３℃以下の場合は、清涼運転操作キー４１４を押しても清涼運転は動作しない。
【０１１５】
なお清涼運転操作キー４１４を押した後、設定時間キー４０８、４０９を操作すると設定時間が「１〜１２」の中から選択でき、この時の清涼運転の運転時間と送風手段１２の送風レベルは図８に示すように設定時間により変化するようにしている。
【０１１６】
温熱運転操作キー４１２を押すと、ＬＥＤ７が点灯し、そして自動的に全面温熱ヒータ６ａと、設定時間「８」と、温度調節「３」が選択され、最初に強制的に温度調節「９」で０．５ｈ運転し、その後設定温度で加熱制御される。
【０１１７】
なお、温熱運転操作キー４１２を押した後、温熱面切換操作キー４１７を押すと、全面温熱ヒータ６ａと、足元温熱ヒータ６ｂの順に選択することができ、最後に表示されたヒータが選択できる。また、温熱運転操作キー４１２を押した後、温度調節キー４１０、４１１と時間設定キー４０８、４０９を押すと設定温度と時間設定を任意に選択することができ、設定時間は「１〜１２」の中から、温度調節は「１〜９」の中から選択することができる。
【０１１８】
予熱運転操作キー４１５を押すと最高３時間で温度調節「９」で温熱手段６を通電して温熱手段６を予熱する予熱運転を行うことができ、短時間で温熱効果を得ることができる。なおこの場合、時間設定キー４０８、４０９で「１〜３」を選択して設定することができる。
【０１１９】
乾燥／防臭運転操作キー４１６を押すと、ＬＥＤ７、１１が点灯し、そして自動的に時間設定表示器４０６に「２」と、温度調節表示器４０７に「９」が表示される。そして、図１０に示すように温熱運転が開始され、規定時間Ｔ７（２ｈ）の温熱運転を開始し、タイマー運転の終了する前の規定時間Ｔ８（２０分）の間は送風手段１２を「強」で運転する。なお、乾燥／防臭運転操作キー４１６を押した後、時間設定キー４０８、４０９を操作すると「１、２」の中から選択して設定することができる。
【０１２０】
このように、寝床内温度を上げたことにより、発生した水蒸気を効果的に、温熱電位治療器本体から放出でき、ふとんの乾燥機能を増大できる。
【０１２１】
なお、上記の実施例では温熱手段６と電位手段７はコード状のヒータ線と、電位線で構成したが、特にこれに限定されることはない。例えば、電位手段は平面形状の電極で構成してもよい。
【０１２２】
また、交互運転Ａ、Ｂの運転時間の値や、交互運転Ｂの電位手段７のＯＮ時間の値、電位運転Ｃ、Ｄの運転時間の値、電位運転Ｃの電位手段７のＯＮ／ＯＦＦ周期Ｓ１の値、電位運転Ｄの電位手段７のＯＮ／ＯＦＦ周期Ｓ２の値、清涼運転の運転時間と送風手段１２の送風レベルの値、各電位運転時の電位手段７のＯＮ時間の累計時間の既定値、夏コース操作キー４０３を押したとき清涼運転を行わない判断をする室温の値等は、上記実施例に限定されることはなく、適宜最適な値を選定すれば良い。
【０１２３】
【発明の効果】
以上説明したように本発明によれば、寝具として使用可能な緩衝体内に温熱手段と、電位手段と、送風手段とを備え、各手段は予めプログラムした制御プログラムにしたがって制御する制御手段により運転することにより、寝具として寝ながらに温熱効果と電位効果により健康づくりを行いながら、さらに清涼機能を付加したことにより快適に睡眠することができる。
【０１２４】
また、緩衝体は、表布に設けられた吸引孔と、通気性と放湿性を有する素材で構成された空間材と、保持シートにより上下に挟まれた温熱手段、電位手段と、断熱性を有する緩衝材とで構成し、前記保持シートと前記緩衝材に設けた切り欠け部に電源ユニットと、送風手段とを設けたことにより、温熱効果と電位効果とさらに清涼機能を有すると共に、寝具として快眠を支えることができる構造とすることができる。
【０１２５】
また、緩衝体から分離したコントローラの内部に前記各手段を予めプログラムした制御プログラムにしたがって制御する制御手段と、操作キーとを備え、この操作キーに季節に応じて選択できる複数の運転コース選択キーを設け、使用者の選択により各運転コース特有の予めプログラムされた運転方法で温熱手段と、電位手段と、送風手段とを制御することにより、操作部が一箇所であり、操作が分かり易く簡単にできるため利便性が大きい。また、環境変化に応じた複数の運転コースの中から適した運転方法を選択できる為、さらに利便性が増す。
【０１２６】
また、睡眠時の寝床内環境を快適状態に作る温熱手段と、送風手段の運転制御を、自動的に運転するようにしたことにより、就眠時に操作することなく快適な寝床内環境を造ることができる。
【０１２７】
また、寝床内温度を温熱手段にて設定温度に加熱すると共に規定時間後に自動的に寝床内温度を設定温度より数度下げるとともに、予め設定されたタイマー時間が終了する規定時間前に寝床内温度を数度上げる機能を有することにより、自分自身で操作ができない睡眠中の寝床内温度を下降変化させたり、明け方に上昇変化させることを起床時点のタイマー値を設定することにより自動的に実現できる効果が得られる。
【０１２８】
また、冬季には温熱手段と電位手段が交互に運転されるため、寝床内環境は暖かく快適に電位治療ができる。また、電位治療器は使用時間が制限されるが、内蔵のマイコンが電位運転の時間を積算し、計算するため、制限時間を超える心配がない。
【０１２９】
また、夏季には送風と電位が上手に運転されるため寝床内環境は快適な状態で電位治療ができる。また、電位治療器は使用時間が制限されるが内蔵のタイマーが電位運転の時間を積算し、計算するため、制限時間を超える心配がない。
【０１３０】
また、春秋時の気温変化に対応して暑いときは涼しく、涼しいときは暖かく寝床内の環境を簡単な操作で快適にできる為、使い勝手が良い。
【０１３１】
また、汗等で湿った緩衝体を乾燥できる為利便性が大きい。また、防臭効果により、不快感を改善できる。
【０１３２】
さらに、温熱効果や、電位効果、清涼機能等をお好みに応じて単独で運転することができ、また、予熱運転により温熱効果を短時間で得ることができる。
【図面の簡単な説明】
【図１】本発明の一実施例を示す概略斜視図である。
【図２】同じく概略断面図である。
【図３】同じく回路ブロック図である。
【図４】同じく操作キーの説明図である。
【図５】同じく冬コース運転動作説明図である。
【図６】同じく交互運転、電位運転の詳細説明図である。
【図７】同じく夏コース運転動作説明図である。
【図８】同じく清涼運転動作の詳細説明図である。
【図９】同じく春／秋コース運転動作説明図である。
【図１０】同じく乾燥／防臭運転動作説明図である。
【符号の説明】
１  緩衝体
２  表布
３  吸引孔
４  空間材
５  保持シート
６  温熱手段
７  電位手段
８  緩衝材
９  切り欠け部
１２  送風手段
１３  電源ユニット
１５  コントローラ
１９  制御手段
２０  操作キー
２１  運転コース選択キー
４０１  冬コース操作キー
４０２  春／秋コース操作キー
４０３  夏コース操作キー
４０４  ちょっと寒操作キー
４０５  ちょっと暑操作キー
４１２  温熱運転操作キー
４１３  電位運転操作キー
４１４  清涼運転操作キー
４１５  予熱運転操作キー
４１６  乾燥／防臭運転操作キー
【図１】
2005021465.tif 000003
【図２】
2005021465.tif 000004
【図３】
2005021465.tif 000005
【図４】
2005021465.tif 000006
【図５】
2005021465.tif 000007
【図６】
2005021465.tif 000008
【図７】
2005021465.tif 000009
【図８】
2005021465.tif 000010
【図９】
2005021465.tif 000011
【図１０】
2005021465.tif 000012